(57)【特許請求の範囲】
【請求項１】
第１の面の第１の端部に接点端子を持つメモリカードにおいて、
前記第１の面の前記第１の端部と反対の第２の端部近傍にメモリを格納し、また前記第１の面と反対の第２の面の前記第２の端部近傍に第１の凸部を設け増設メモリを格納するようにしたメモリカード本体、を有し、
前記接点端子として、前記メモリと接続するための１段目の接点端子と、前記増設メモリと接続するための２段目の接点端子が、前記メモリカード本体に設けられている
メモリカード。
【請求項２】
請求項１記載のメモリカードにおいて、
前記第１の凸部の少なくとも一部に凹部を設け、該凹部の底面にラベルを貼れるようにした
メモリカード。
【請求項３】
請求項１記載のメモリカードにおいて、
前記第１の凸部の一部に第２の凸部を設け、引っ掛かり部を有するようにした
メモリカード。
【請求項４】
第１の面の第１の端部に２段の接点端子を持ち、前記第１の面の前記第１の端部と反対の第２の端部近傍にメモリを格納し、また前記第１の面と反対の第２の面の前記第２の端部近傍に第１の凸部を設け増設メモリを格納するようにしたメモリカード本体に設けられた前記２段の接点端子に対応する２段の接点端子を有し、当該メモリカード本体の前記第１の凸部に対応する位置に開口部を設けた
メモリカード装着装置。
【請求項５】
第１の面の第１の端部に２段の接点端子を持ち、前記第１の面の前記第１の端部と反対の第２の端部近傍にメモリを格納し、また前記第１の面と反対の第２の面の前記第２の端部近傍に第１の凸部を設け増設メモリを格納するようにしたメモリカード本体に設けられた前記２段の接点端子に対応する２段の接点端子を有し、当該メモリカード本体の前記第１の凸部に対応する位置に開口部を設けたメモリカード装着装置、を備える
電子機器。
【発明の詳細な説明】
【０００１】
【発明の属する技術分野】
本発明はメモリカード及びメモリカード装着装置並びにメモリカード装着装置を備える例えばデジタルスチルカメラやポータブル型電子ゲーム機、携帯情報端末等の電子機器に関する。
【０００２】
【従来の技術】
近年、デジタルスチルカメラやポータブル型電子ゲーム機、携帯情報端末等において、情報（データ）を記録・保存する記録メディアの中で半導体メモリを使用した記録メディアが普及しつつある。この半導体メモリを使用した記録メディアに所謂メモリカードと呼ばれるものがあるが、このメモリカードは小型・軽量で大変扱いやすく記録した情報（データ）を持ち運ぶのにも便利であり、記録メディアとしての用途はますます広がる傾向にある。また用途の拡がりとともに大量のデータを扱うようにもなりデータのやり取りの高速化及び大容量メモリのメモリカードが求められるようになってきた。そしてこの流れを受けてさまざまな形状、規格のメモリカードが提案されている。
【０００３】
図１８及び図１９に従来のメモリカードの一例を示す。図１８及び図１９において５１はメモリカードを示し、このメモリカード５１の一方の面５３ａ及びその反対側の他方の面５３ｂから見た外観構成を示すもので薄型の略カード状の形状をしている。
【０００４】
図１９において、メモリカード５１の一方の面５３ａの一方の端部５４ａの縁部に沿って１０列の端子配列からなる接点部が設けられている。この接点部の１０列の端子は隣あった端子が夫々仕切り５７で仕切られている。また一方の端部５４ａと一方の側面５５ａとの角にメモリカード５１を後述するメモリカード装着装置２０のスロット部２１に挿入する際に、メモリカード５１の向きが正しいかどうかを検出する曲面部５９ａ及び位置決め用の凹部５９が設けられている。そして位置決め用の凹部５９により決められた位置にメモリカード５１を固定するための凹部１０が側面５５ａの縁に設けられている。また図１８においてメモリカード５１の他方の面５３ｂ上に凹部を設けこの凸部のラベル貼付け面５２ａに識別用のラベル５２ｃが貼れるようになっている。
【０００５】
【発明が解決しようとする課題】
然しながら、メモリ容量の増量に主眼をおいた場合、例えばメモリカードに内蔵されているメモリ容量を増量しようとするときに、従来のメモリカードは上述のように外形寸法が決められているのでこの外形寸法に合うようにメモリをより小形化したり、メモリの実装方法の高密度化など高度な技術を必要とした。このためこの外形寸法によりメモリカードに内蔵できるメモリのメモリ容量には限度があった。
【０００６】
また、メモリ容量を増量するのに例えば図１８のメモリカード５１の幅Ｄや厚さＨなどの外形寸法を変えてしまうと、従来のメモリカード装着装置では規格に沿ったメモリカードは装着できるが、外形寸法が変更され規格から外れたメモリカードは装着できなくなり、その都度この新しい外形寸法のメモリカードに合わせてメモリカード装着装置を作り直さなければならないという不都合があった。
【０００７】
本発明は斯かる点に鑑み、外形寸法の大きな変更をすることなく、容易にメモリ容量を増量できるメモリカード及びメモリカード装着装置並びに電子機器を提案せんとするものである。
【０００８】
【課題を解決するための手段】
本発明に係るメモリカードは、第１の面の第１の端部に接点端子を持つメモリカードにおいて、第１の面の第１の端部と反対の第２の端部近傍にメモリを格納し、また第１の面と反対の第２の面の第２の端部近傍に第１の凸部を設け増設メモリを格納するようにしたメモリカード本体、を有する。そして、上記接点端子として、上記メモリと接続するための１段目の接点端子と、上記増設メモリと接続するための２段目の接点端子が、メモリカード本体に設けられているものである。
【０００９】
斯かる本発明によれば、メモリカードの一部に凸部を設け増設メモリを格納するようにしたので、従来の規格から外れるような大幅な外形寸法の変更をすることなく容易にメモリカードのメモリ容量を増量することができる。
【００１０】
また本発明に係るメモリカード装着装置は、第１の面の第１の端部に２段の接点端子を持ち、第１の面の第１の端部と反対の第２の端部近傍にメモリを格納し、また第１の面と反対の第２の面の第２の端部近傍に第１の凸部を設け増設メモリを格納するようにしたメモリカード本体に設けられた上記２段の接点端子に対応する２段の接点端子を有し、当該メモリカード本体の第１の凸部に対応する位置に開口部を設けるようにしたものである。
【００１１】
斯かる本発明によれば、メモリカード装着装置においてメモリカードの一部に凸部を設け増設メモリを格納するようにしたメモリカードのこの凸部に対応する位置に開口部を設けるようにしたので、このメモリカード装着装置の大幅な外形寸法の変更をすることなくメモリ容量が増量されたメモリカードを装着することができると共に従来のメモリカードも装着することできる。
【００１２】
また本発明に係る電子機器は、第１の面の第１の端部に２段の接点端子を持ち、第１の面の第１の端部と反対の第２の端部近傍にメモリを格納し、また第１の面と反対の第２の面の第２の端部近傍に第１の凸部を設け増設メモリを格納するようにしたメモリカード本体に設けられた上記２段の接点端子に対応する２段の接点端子を有し、当該メモリカード本体の第１の凸部に対応する位置に開口部を設けたメモリカード装着装置、を備えるようにしたものである。
【００１３】
斯かる本発明によれば、任意の電子機器にメモリカードの一部に凸部を設け増設メモリを格納するようにしたメモリカードのこの凸部に対応する位置に開口部を設けるようにしたメモリカード装着装置を組み込むことにより、容易にメモリ容量が増量されたメモリカードを装着することができると共に従来のメモリカードも装着することができる。
【００１４】
【発明の実施の形態】
以下、図１及び図２を参照して本発明メモリカードの実施の形態の例につき説明する。この図１及び図２において図１８及び図１９に対応する部分には同一符号を付して示す。
【００１５】
図１及び図２において１はメモリカードを示し、夫々メモリカード１の一方の面３ａ及びその反対側の他方の面３ｂから見た外観構成を示すもので薄型の略カード状の形状をしており、主要な外形寸法等は従来例のメモリカード５１と略同じである。
【００１６】
図２において、メモリカード１の一方の面３ａの一方の端部４ａの縁部に沿って２段構成の各段１０列の端子配列からなる接点部６が設けられている。この２段構成からなる接点部６の１段目の接点部６ａ及び２段目の接点部６ｂのうち、挿入方向の左端２列の接点は互いに切れ目なく繋がって短絡しており、他の８列の接点は間隔８をおいて１段目の接点部６ａ及び２段目の接点部６ｂの２つの接点部に区切られている。そしてこの２段構成の各段の１０列の接点は隣あった接点が夫々仕切り５７で仕切られる如く構成されている。
【００１７】
また、メモリカード１の一方の端部４ａと一方の側面５ａとの角にはメモリカード１をメモリカード装着装置２０のスロット部２１に挿入する際に、後述するメモリカード１の挿入方向が正しいかどうかを検出する曲面部９ａを設けると共に位置決め用の凹部９が設けられている。そして位置決め用の凹部９により決められた位置にメモリカード１を固定する固定用凹部１０が側面５ａの縁に設けられている。
【００１８】
また図１において、メモリカード１の一方の面３ａと反対の他方の面３ｂの端部４ａと反対の端部４ｂの近傍にメモリを格納するための高さＨ1 の第１の凸部２を設けている。そしてこの第１の凸部２の上面に第１の凹部を設けこの底面のラベル貼り付け面２ａにラベル２ｃを貼れるようにすると共にこの第１の凸部２の端部４ｂ縁に沿って第２の凸部２ｂを設け引っ掛かり部を有する如くする。
【００１９】
この図１及び図２例のメモリカード１は図１８及び図１９従来例のメモリカード５１を一部改良したものである。即ち、図１及び図２例のメモリカード１は図１８及び図１９従来例のメモリカード５１において、第１の凸部２及びこの凸部２の一部に第１の凹部２ａ、第２の凸部２ｂを設け、図１８及び図１９従来例のメモリカード５１と比して接点が接点部６ａ及び６ｂの前後２段に分かれていると共に接点部６ａ、６ｂ及び位置決め用凹部９の寸法がより長くなるよう構成されている。
【００２０】
このため図８Ａのメモリカード１を側面５ｂからみた断面図に示す如く、メモリカード１の従来からのメモリ３０が格納されている面３ａの反対の面３ｂの第１の凸部２の内部に新たにメモリ３０ａを増設することができる。
【００２１】
斯かる本例によれば、メモリカード１の一部に凸部２を設けメモリを格納するようにしたので外形寸法の大きな変更をすることなく容易にメモリカードのメモリ容量を増量することができる。
【００２２】
また、メモリカード１に設けられた凸部２に凹部２ａを設け、この凹部２ａの底面のラベル貼り付け面２ｃにラベルを貼れるようにしたので、メモリカード１に記録されている内容を容易に把握することができる。
【００２３】
また、メモリカード１に設けられた凸部２の一部に更に引っ掛かり用の凸部２ｂを設けるようにしたので、メモリカード１を簡単に取り出すことができると共に専用の取り出しボタンも不要である。
【００２４】
次に、図３及び図４を参照して本発明メモリカード及び従来のメモリカードの双方に対応し装着できるようにしたメモリカード装着装置の実施の形態の例につき説明する。２０はメモリカード装着装置を示し、前述したメモリカード１の第１の凸部２に対応する部分に切込みを入れ開口部２２が設けられている。またメモリカード１の接点部６が設けられている一方の面３ａと接するメモリカード装着装置２０の略箱型のスロット部２１を構成する静電気対策を兼ねた金属板２５の面上にメモリカードの挿入方向と平行して長い凸部２５ａを２箇所設け、メモリカードを滑りやすくして挿入・取出しが容易になるようにしている。
【００２５】
また、メモリカード装着装置２０のスロット部２１を構成する金属板２５の誤挿入防止部に例えばバネ用ステンレス鋼線からなる誤挿入防止用のバネ２３が設けられている。この誤挿入防止用のバネ２３の先端２３ａは、図３及び図４に示如く、メモリカード挿入方向に対し直角方向に長い長孔２４を通じてスロット部２１を構成する金属板２５の反対側に突き出るようになされている。また図４に示すように、樹脂によりモールド成形されたモールド樹脂部２６の一方の面２６ｂの端部２６ｃ縁に取付けられた可動配線部を有するフレキシブル基板２７に接続され、このフレキシブル基板２７の可動配線部の先に電子機器が接続される如く構成されている。
【００２６】
このメモリカード１をメモリカード装着装置２０に挿入する際に、従来のメモリカード装着装置（図示せず）には本例メモリカード装着装置２０に設けられた開口部２２に相当するものがないため、本例メモリカード１に設けられたメモリ格納用の凸部２が従来のメモリカード装着装置のスロット部の挿入口に当って支えてしまい装着することができない。
【００２７】
斯かる本例によれば、メモリカード装着装置２０において、メモリカードの一部に凸部２を設けメモリを格納するようにしたメモリカード１のこの凸部２に対応する位置に開口部２２を設けるようにしたので、このメモリカード装着装置２０の外形寸法の大きな変更をすることなく、容易にメモリ容量が増量されたメモリカード１を装着することができると共に従来のメモリカード５１も装着することができる。
【００２８】
図５に本例メモリカード装着装置２０の誤挿入防止部の要部を示す。図５において、この誤挿入防止部の誤挿入防止用のバネ２３は例えばステンレス鋼線よりなり、鉤状の先端部２３ａ及び２３ｂを有すると共にメモリカード装着装置２０の内壁と仕切り板２８とにより作られる細長い溝２８ａに係合する直線部２３ｃを有した形状となっている。この誤挿入防止用のバネ２３の直線部２３ｃをメモリカード装着装置２０の内壁と仕切り板２８とにより作られる細長い溝２８ａに嵌挿すると共に誤挿入防止用のバネ２３の先端部２３ａを長孔２４を通してスロット部２１を構成する金属板２５の向こう側に貫通する如くして誤挿入防止用のバネ２３を設置する。
【００２９】
図６Ａ、Ｂ及び図７を参照してメモリカード装着装置２０にメモリカード１を装着するときの誤挿入の検出について説明する。図６Ａはメモリカード２０のスロット部２１にメモリカード１を正しい方向より挿入した場合の誤挿入防止用のバネ２３の動きを示している。即ちメモリカード１をこのメモリカード１の一方の側面５ａに設けられた曲面部９ａが誤挿入防止用のバネ２３に当るような向きでメモリカード装着装置２０のスロット部２１に挿入する。このときメモリカード１の曲面部９ａが誤挿入防止用のバネ２３ａに当り、この誤挿入防止用のバネ２３がスロット部２１の挿入口から遠い部分を支点にしてこの曲面部９ａの曲面に沿って左に逃げる如く動く。そのまま更にメモリカード１を押し込んでいくと誤挿入防止用のバネ２３は完全にメモリカード１の左側に逃げてこのメモリカード１を後述するストッパーが働く位置まで挿入することができる。
【００３０】
図６Ｂはメモリカード装着装置２０のスロット部２１にメモリカード１を誤まった方向である端部４ｂから挿入した場合の誤挿入防止用のバネ２３の動きを示すものである。このときメモリカード１の側面５ａに設けられた曲面部９ａが誤挿入防止用のバネ２３に当らないで、メモリカード１の一方の端部４ｂが誤挿入防止用のバネ２３に当る。メモリカード１の端部４ｂには曲面部がなくバネ２３が逃げられず突っ張ってしまいメモリカード１の挿入が妨げられこれ以上挿入することはできない。
【００３１】
また同時に、図７に示す如く、この誤挿入防止用のバネ２３の鉤状の先端部２３ａを長孔２４を通してスロット部２１を構成する金属板２５の反対側に出しているので、メモリカード１を間違った向きで挿入し強く押し込んでも鉤状の先端部２３ａが長孔２４に引っ掛かりバネ２３が突っ張ったままとなるため曲がらずにこれ以上メモリカード１を無理に挿入することはできない。
【００３２】
尚、図６Ａ、Ｂ及び図７によりメモリカード装着装置２０にメモリカード１を挿入する際のメモリカード１の挿入方向の違いによる誤挿入防止用のバネ２３の動きについて示したが、従来のメモリカード５１を挿入したときにも同様の作用効果が得られる。
【００３３】
図８Ａ、Ｂ及び図９にメモリカード装着装置２０にメモリカード１を挿入及び装着した状態を側面５ｂから見た断面図を示す。
【００３４】
図８Ｂは本例メモリカード装着装置２０を側面５ｂからみた断面図である。メモリカード装着装置２０において、２段構成の接点端子３６ａ及び３６ｂの一部を屈曲させて接点部分３７、３７を形成すると共にこの接点端子３６ａ及び３６ｂは樹脂によりモールド成形されたモールド樹脂部２６の一方の面２６ｂの端部２６ｃ縁に取付けられた可動配線部を有するフレキシブル基板２７に接続されている。
【００３５】
図８Ａは本例メモリカード１を側面５ｂから見た断面図である。３０は従来から内蔵されているメモリであり３０ａは新しく増設されたメモリである。このメモリカード１の接点部６が設けられている一方の面３ａの反対側の面３ｂを上側にして端部４ａからメモリカード装着装置２０に挿入する。
【００３６】
図９にメモリカード装着装置２０にメモリカード１を装着した状態を示す。メモリカード装着装置２０のスロット部２１の挿入口から挿入されたメモリカード１を後述する所定の位置まで挿入しメモリカード装着装置２０に装着する。このときメモリカード１の２段構成の接点部６ａ及び６ｂとメモリカード装着装置２０の接点端子３６ａ及び３６ｂの接点部分３７、３７とがそれぞれ係合して接触する如くする。そしてこの接点部分３７、３７から接点端子３６ａ及び３６ｂを通じてモールド樹脂部２６を介してフレキシブル基板２７に接続され、このフレキシブル基板２７の可動配線部の先に接続されている電子機器（図示せず）に内蔵された制御手段と信号の送受信を行うことができる。
【００３７】
図１０は本例メモリカード１をメモリカード装着装置２０に装着した状態の外観構成を示すものである。誤挿入防止用のバネ２３は仕切り板２８側に大きく逃げた状態になり、メモリカード１は端面４ｂとメモリカード装着装置２０のスロット部２１の挿入口の端とが略揃うまで挿入される。
【００３８】
次に図１１、図１２、図１３及び図１４を参照して本例メモリカード１と従来のメモリカード５１とを判別する方法について説明する。図１１は本例のメモリカード及びメモリカード装着装置の概念を示すものであり、メモリカード１及び５１の接点部６及び５６が設けられている一方の面３ａ及び５３ａを表にして見た平面図である。これはメモリカード１及び５１を接点部６及び５６がある面の端部４ａ及び５４ａ側から電子機器例えばポータブル型電子ゲーム機４０に取付けられたメモリカード装着装置２０のスロット部２１に挿入したときに、挿入されたメモリカード１及び５１の挿入量により夫々の端部４ａ及び５４ａの位置が異なる様子を表している。即ち本例メモリカード１の端面４ａはメモリカード装着装置２０のスロット部２１の最深部まで挿入されるが、従来のメモリカード５１はメモリカード１の端部位置の手前で停止する。
【００３９】
この夫々のメモリカード１及び５１の端面位置の違いは、図１２に示す如く、メモリカード１の一方の面３ａ上の端部４ａと側面５ａとの角に設けられた位置決め用の凹部９と、メモリカード５１の一方の面５３ａ上の端部５４ａと側面５５ａとの角に設けられた位置決め用の凹部５９との長さの違いによるものである。即ち図１２に示すようにメモリカード１の位置決め用の凹部９の挿入方向の寸法Ａ2 とメモリカード５１の位置決め用の凹部５９の挿入方向の寸法Ａ1 とでは寸法差Ａ0 ＝Ａ2 −Ａ1 があり本例メモリカード１の位置決め用凹部９の方が長くなっている。従ってメモリカード１及び５１の位置決め用の凹部９及び５９の挿入方向の寸法を変えて、メモリカード装着装置２０のスロット部２１内側の図示しないストッパーとなる部分にこの位置決め用の凹部９及び５９を当て、挿入停止位置を変更することによりメモリカード１及び５１の挿入差をつけることができる。
【００４０】
図１３Ａ、Ｂ、Ｃは本例のメモリカード１及び従来のメモリカード５１を本例のメモリカード装着装置２０に挿入して各々の所定の位置で固定したときに、夫々の接点と接点端子とが接触する様子を示すものである。図１３Ａはメモリカード装着装置２０にメモリカードが装着されずスロット部２１が空状態のときの側面からみた断面図を示している。
【００４１】
図１３Ｂに示す如く、メモリカード装着装置２０に従来のメモリカード５１を挿入した場合、従来のメモリカード５１は位置決め用の凹部５９の挿入方向の寸法が小さく、メモリカード５１の接点５６はメモリカード装着装置２０の２段構成の接点部の接点端子３６ａと３６ｂの内スロット部２１の挿入口寄りの接点端子３６ａの接点部分３７と接触すると共にスロット部２１内部の図示しないストッパーに当りこの挿入を停止する。
【００４２】
一方、図１３Ｃに示す如く、メモリカード装着装置２０に本例のメモリカード１を挿入した場合、メモリカード１の位置決め用の凹部９の挿入方向の寸法は従来のメモリカード５１の位置決め用の凹部５９の挿入方向の寸法より大きいので、上述した図１３Ｂ例よりも寸法Ａ0 奥まで挿入される。そしてメモリカード１の１段目の接点部６ａがメモリカード装着装置２０の接点端子３６ａの接点部分３７と、２段目の接点部６ｂが接点端子３６ｂの接点部分３７と夫々接触すると共にスロット部２１内部の図示しないストッパーに当りこの挿入を停止する。
【００４３】
斯かるメモリカード１及び５１の位置決め用凹部の９及び５９の挿入方向の長さの違いに応じて挿入量に差をつけることにより、本例のメモリカード１と従来のメモリカード５１とを判別することができる。
【００４４】
次に図１４Ａ、Ｂ、Ｃを参照してメモリカード装着装置２０、メモリカード１及び５１の接点構成につき説明する。図１４Ａはメモリカード装着装置２０のメモリカードが装着されていない状態での１段目及び２段目の接点端子３６ａ及び３６ｂの接点構成の一例を示すものである。Vcc端子は電源が供給されVss端子はアースに接続されている。INSms端子はメモリカード５１が挿入されたことを検出し、INSatom端子はメモリカード１が挿入されたことを検出する如くする構成になっている。INSms端子及びINSatom端子は夫々メモリカードが装着される前の初期状態ではハイ（Ｈ）レベルとなっている。またその他の端子はメモリカードが装着されたときに各メモリカードの接点構成に対応してフレキシブル基板２７を通して電子機器と情報を送受信するのに使用される。
【００４５】
図１４Ｂはメモリカード１の１段目及び２段目の接点部６ａ及び６ｂの接点構成の一例を示すものである。Vcc接点は電源が供給されVss接点はアースに接続される。Vss(INS)接点はメモリカード１が挿入されたことを検出する如くする構成になっている。またその他の接点はフレキシブル基板２７を通して電子機器と情報の送受信をするのに使用される。
【００４６】
また図１４Ｃはメモリカード５１の接点部５６の接点構成の一例を示すものである。Vcc接点は電源が供給されVss接点はアースに接続される。INS接点はメモリカード５１がメモリカード装着装置２０に挿入されたことを検出する如くする構成になっている。またその他の接点はフレキシブル基板２７を通して電子機器と情報の送受信をするのに使用されるか又は空き接点となっている。
【００４７】
上述の如き接点構成において、図１３Ｂのようにメモリカード５１をメモリカード装着装置２０に挿入し、メモリカード５１の接点部５６とメモリカード装着装置２０の２段目の接点端子３６ａの接点部分３７とが接触した場合、図１４Ａのメモリカード装着装置２０のメモリカード５１が挿入されたことを検出するINSms端子と図１４Ｃのメモリカード５１のINS接点とが導通して、メモリカード装着装置２０のINSms端子がハイ（Ｈ）レベルからロー（Ｌ）レベルとなりメモリカード５１が挿入されたことを検出する如くする。
【００４８】
また、図１３Ｃのようにメモリカード１をメモリカード装着装置２０に挿入し、メモリカード１の１段目の接点部６ａとメモリカード装着装置２０の１段目の接点端子３６ａの接点部分３７、及びメモリカード１の２段目の接点部６ｂとメモリカード装着装置２０の２段目の接点端子３６ｂの接点部分３７とが接触した場合、図１４Ａのメモリカード装着装置２０のメモリカード１が挿入されたことを検出するINSatom端子と図１４Ｂのメモリカード１のVss(INS)接点とが導通して、メモリカード装着装置２０のINSatom端子がアースに接続されＨレベルからＬレベルとなりメモリカード１が挿入されたことを検出する如くする。またこのときメモリカード装着装置２０のINSms、(Vss)、(Vcc)端子は夫々R/B、I/O4、I/O5端子に変更されフレキシブル基板２７を通して電子機器と情報の送受信をするのに使用される。
【００４９】
斯かる本例によれば、メモリカード１及び５１の夫々の位置決め用の凹部９及び５９の長さによる挿入量の違いによりメモリカード１及び５１とメモリカード装着装置２０との夫々の接点部及び接点端子とが接触する接点が異なるので、これを検出してメモリカード１及び５１を電気的に判別することができる。
【００５０】
また、電源が供給されるVss端子及びアースに接続されるVcc端子ともに２接点ずつ設けているので、衝撃や振動が加わった時夫々のメモリカード１及び５１とメモリカード装着装置２０との接触する接点が２接点同時に外れない限り電源ＯＮの状態を維持することができる。
【００５１】
図１５に本発明メモリカード装着装置を組み込んだ電子機器の実施の形態の例を示す。例えば４１はデジタルスチルカメラを示し、このデジタルスチルカメラ４１に組み込まれ外筐と一体化したメモリカード装着装置６０に本例メモリカード１を装着する様子を示すものである。このメモリカード装着装置６０のスロット部６１はメモリカード装着装置２０のスロット部２１と同様の内部構成を持つものである。デジタルスチルカメラ４１は主要部を示すに前面４８ａにレンズ４２及び上面４８ｂの右端にシャッタ４３が配されると共に、背面４８ｃに液晶表示画面４４及びその下側に撮影モード切換え等の各種操作ボタン４５から構成されている。デジタルスチルカメラ４１の外筐にメモリカード装着装置２０のスロット部２１と同じ構成のスロット部６１を設ける。またこのスロット部６１のメモリカード１のメモリを格納する凸部２に対応する部分に開口部６２を設ける如くする。そして図１４Ａと同様の接点配置よりなる接点部をこのスロット部６１内部に設ける如く構成する。
【００５２】
このデジタルスチルカメラ４１にメモリカード１をラベル２ｃが使用者に見える向きで端面４ａ側からスロット部６１に挿入して装着した場合、開口部６２が設けられているのでメモリカード１のメモリ格納用の凸部２が支えることなくデジタルスチルカメラ４１のメモリカード装着装置６０に装着することができる。
【００５３】
また、このときメモリカード１はデジタルスチルカメラ４１に設けられた開口部６２により外筐に隠れることなくラベル２ｃの内容を見ることができるため、使用者はメモリカード１に記録されている情報を容易に把握することができる。
【００５４】
またデジタルスチルカメラ４１に装着したメモリカード１を取り出すのに、デジタルスチルカメラ４１の外筐にメモリ格納用の凸部に対応した開口部６２を設けてメモリカード１に設けられた引っ掛かり用凸部２ｂが常に外部に出ている状態であるので、メモリカード１に設けられた引っ掛かり用凸部２ｂに例えば指などを引っ掛ける如くしてメモリカード１をデジタルスチルカメラ４１から簡単に取り出すことができる。
【００５５】
また、図１５のデジタルスチルカメラ４１に従来のメモリカード５１を装着した場合、図１２に示される挿入差があるため、図示しないがスロット部６１の端部４８ｄからメモリカード５１の端部５４ｂが少しはみ出るので、このはみ出た部分を持つ如くしてメモリカード５１を容易に取り出すことができる。
【００５６】
本例によれば、メモリカード装着装置６０をデジタルスチルカメラ４１に組み込むことにより、容易にメモリ容量が増量されたメモリカード１を装着することができると共に従来のメモリカード５１も装着することができる。
【００５７】
また、従来の電子機器に一般的に設けられているメモリカード取り出し用ボタンが必要なく外観構成をすっきりさせることができる。
【００５８】
また、本例のデジタルスチルカメラ４１に組み込まれたメモリカード装着装置６０はその他メモリカード装着装置２０と同様の作用効果が得られることは容易に理解できよう。
【００５９】
図１６は本発明メモリカードの実施の形態の他の例を示す。このメモリカード１１は図１及び図２例のメモリカード１よりメモリ格納用凸部２に格納するメモリのメモリ容量を大きくすることができる如くしたものである。即ちメモリカード１１のメモリを格納する凸部１２の高さをＨ2 とすると（Ｈ2 ＞Ｈ1 ）としてメモリを重ねて格納できるようにしている。その他の構成については図１及び図２例のメモリカード１と同様とし図１に対応する部分には同一符号を付して示しその詳細説明は省略する。尚このメモリカード１１をデジタルスチルカメラ４１に装着する様子を図１５に示す。
【００６０】
斯かる本例によれば、メモリカード１１のメモリを格納する凸部１２の高さをより高くすることにより、メモリを重ねて増設できそれだけメモリ容量を増量することができる。
【００６１】
また、その他図１及び図２例のメモリカード１と同様の作用効果が得られることは容易に理解できよう。
【００６２】
図１７Ａ、Ｂは本発明メモリカード及びメモリカード装着装置の実施の形態の他の例を示したものである。図１７Ａ、Ｂにおいて図８Ａ、Ｂに対応する部分には同一符号を付して示しその詳細説明は省略する。
【００６３】
図１７Ａのメモリカード７１は図８Ａのメモリカード１の１段目の接点端子と２段目の接点端子との間に挿入方向と垂直な段差Ｌ１をつけるようにすると共に、図１７Ｂのメモリカード装着装置８０についても図８Ｂのメモリカード装着装置２０の１段目の接点端子の接点部分と２段目の接点端子の接点部分との間に挿入方向と垂直な段差Ｌ２をつける如くしたものである。
【００６４】
即ち、例えばメモリカード７１は１段目の接点端子７６ａの位置を２段目の接点端子７６ｂの位置より高くして所定の段差Ｌ１を設けると共に、メモリカード装着装置８０は１段目の接点端子７８ａの接点部分７７の位置を２段目の接点端子７８ｂの接点部分７７の位置より低くし上述のメモリカード７１の接点端子の段差Ｌ１に応じた所定の段差Ｌ２を設けメモリカード７１の接点７６ａとメモリカード装着装置８０の接点端子７８ａの接点部分７７、メモリカード７１の接点７６ｂとメモリカード装着装置８０の接点端子７８ｂの接点部分７７とが夫々係合し接触する。そしてメモリカード７１の接点７６ａ及び７６ｂを相互にデータをやり取りできるプリント基板３５ａ及び３５ｂに夫々接続する如くする。
【００６５】
上述の如き構成において、メモリカード７１の接点７６ａ、７６ｂ及びメモリカード装着装置８０の接点端子７８ａ、７８ｂの接点部分７７、７７の夫々に段差Ｌ１及びＬ２を設けることにより、メモリカード７１の挿入及び取出しの際にメモリカード７１の接点７６ａ、７６ｂとメモリカード装着装置８０の接点端子７８ａ、７８ｂの接点部分７７、７７とが互いに１対１で接触でき、又はメモリカード７１の接点７６ｂがメモリカード装着装置８０の接点端子７８ａ及び７８ｂの接点部分７７、７７に接触したとしても極弱い力で接触することができる。そしてプリント基板３５ａ及び３５ｂを通じてメモリ３０及び３０ａにアクセスしてメモリカードと電子機器と間でデータをやり取りすることができる。
【００６６】
斯かる本例によれば、メモリカード７１及びメモリカード装着装置８０の夫々の接点部７６ａ、７６ｂ及び接点端子７８ａ、７８ｂの接点部分７７、７７の高さに夫々所定の段差Ｌ１、Ｌ２を設け、メモリカード７１の接点７６ａ、７６ｂとメモリカード装着装置８０の接点端子７８ａ、７８ｂの接点部分７７、７７とが互いに適切に接触するようにしたので、これらの接点７６ａ、７６ｂと接点端子７８ａ、７８ｂの接点部分７７、７７とが摺動することによる磨耗及び損傷を最小限に防ぐことができる。
【００６７】
尚、図１においてメモリ格納用の第１の凸部２は接点部６のない面３ａに設ける如くしたが、例えばメモリカード１の一方の面３ａ及び他方の面３ｂの両面に設ける如くしてもよい。即ち図８Ａに示すように従来のメモリ３０が格納されていた面３ｂにも増設メモリを格納するようにしてもよい。このときメモリカード装着装置のメモリカードの両面３ａ、３ｂに設けられた図示しないメモリ格納用の凸部に対応する位置に新たな開口部を設ける如くする。
【００６８】
また、図１５にて本発明メモリカード装着装置を組み込んだ電子機器の一例としてデジタルスチルカメラ４１について示したが、例えばポータブル型電子ゲーム機や携帯情報端末等その他の電子機器に適用するようにしてもよい。
【００６９】
また、本発明は上述例に限ることなく、本発明の要旨を逸脱することなくその他種々の構成を採り得ることは勿論である。
【００７０】
【発明の効果】
斯かる本発明によれば、メモリカードの一部に凸部を設け増設メモリを格納するようにしたので、容易にメモリカードのメモリ容量を増量することができる利益がある。
【００７１】
また、本発明においてメモリカードの一部に凸部を設けこの凸部の一部に凹部を設けてこの凹部の底面にラベルを貼れるようにした場合、メモリカードに記録された内容を容易に把握することができる利益がある。
【００７２】
また、本発明においてメモリカードの一部に凸部を設けこの凸部の一部に更に凸部を設けて引っ掛かり部を有するようにした場合、メモリカードを簡単に取り出すことができると共に専用の取出しボタンも不要となり美観を保つ利益がある。
【００７３】
また本発明によれば、メモリカード装着装置においてメモリカードの一部に凸部を設けメモリを格納するようにしたこのメモリカードの凸部に対応する位置に開口部を設けるようにしたので、このメモリカード装着装置の外形寸法の大きな変更をすることなくメモリ容量が増量されたメモリカードを装着することができると共に従来のメモリカードも装着することができる利益がある。
【００７４】
また本発明メモリカード装着装置を任意の電子機器に組み込むことにより、容易にメモリ容量が増量されたメモリカードを装着することができると共に新しいメモリカードと従来のメモリカードとを併用でき相互のデータを流用できる利益がある。
【図面の簡単な説明】
【図１】本発明メモリカードの実施の形態の例の一面から見た斜視図である。
【図２】図１例メモリカードの他面から見た斜視図である。
【図３】本発明メモリカード装着装置の実施の形態の例の一面から見た斜視図である。
【図４】図３例メモリカード装着装置の他面から見た斜視図である。
【図５】図３例の誤挿入防止部の要部を示す斜視図である。
【図６】図５の誤挿入防止部の要部の説明に供する線図である。
【図７】図６のＸ−Ｘ矢視図である。
【図８】本発明メモリカード及びメモリカード装着装置の実施の形態の例の装着前の概略断面図である。
【図９】本発明メモリカード及びメモリカード装着装置の実施の形態の例の装着後の概略断面図である。
【図１０】本発明メモリカード及びメモリカード装着装置の実施の形態の例の装着後の斜視図である。
【図１１】本発明メモリカード及びメモリカード装着装置の実施の形態の例を示す概略平面図である。
【図１２】図１１例の説明に供する線図である。
【図１３】図１１例の説明に供する断面図である。
【図１４】本発明メモリカード及びメモリカード装着装置の実施の形態の例、並びに従来例メモリカードの接点構成の一例を示す線図である。
【図１５】本発明メモリカード装着装置を備える電子機器の実施の形態の例を示す外観概略図である。
【図１６】本発明メモリカードの実施の形態の他の例の斜視図である。
【図１７】本発明メモリカード及びメモリカード装着装置の実施の形態の他の例の断面図である。
【図１８】従来のメモリカードの一面から見た斜視図である。
【図１９】図１８従来のメモリカードの他面から見た斜視図である。
【符号の説明】
１・・・・メモリカード、２・・・・メモリ格納用凸部、２ａ・・・・ラベル貼り付け面、２ｂ・・・・引っ掛かり用凸部、２ｃ・・・・ラベル、３ａ，３ｂ・・・・面、４ａ，４ｂ・・・・端部、５ａ，５ｂ・・・・側面、３０ａ・・・・メモリ
【図１】
0004929549.tif 000002
【図２】
0004929549.tif 000003
【図３】
0004929549.tif 000004
【図４】
0004929549.tif 000005
【図５】
0004929549.tif 000006
【図６】
0004929549.tif 000007
【図７】
0004929549.tif 000008
【図８】
0004929549.tif 000009
【図９】
0004929549.tif 000010
【図１０】
0004929549.tif 000011
【図１１】
0004929549.tif 000012
【図１２】
0004929549.tif 000013
【図１３】
0004929549.tif 000014
【図１４】
0004929549.tif 000015
【図１５】
0004929549.tif 000016
【図１６】
0004929549.tif 000017
【図１７】
0004929549.tif 000018
【図１８】
0004929549.tif 000019
【図１９】
0004929549.tif 000020